【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
損傷を受けた組織の治療用包帯において、
１対の電極と、
両電極間の導電性ゲルとを有し、
使用時に、両電極間のゲルに電流を通し、損傷を受けた組織を修復することを特徴とする治療用包帯。
【請求項２】
制御ユニットを支持するホルダを更に有し、該ホルダは、制御ユニットを電極に接続する手段を備えていることを特徴とする請求項１記載の治療用包帯。
【請求項３】
前記電極に接続された制御ユニットを更に有していることを特徴とする請求項１記載の治療用包帯。
【請求項４】
ゲルを保持できるポケットが表面に設けられており、包帯が治療領域に適用されるとゲルが治療領域上に押出されることを特徴とする請求項１〜３のいずれか１項記載の治療用包帯。
【請求項５】
前記ゲルは導電性ヒドロポリマーであり、該導電性ヒドロポリマーは、電流が電極からゲルを通って流れると放出される複数の治療分子のうちの少なくとも１つの種類を含んでいることを特徴とする請求項１〜４のいずれか１項記載の治療用包帯。
【請求項６】
前記治療分子は酸素であることを特徴とする請求項５記載の治療用包帯。
【請求項７】
１対の電極と、
損傷を受けた組織の環境パラメータを検出するセンサとを有し、
使用時に、検出したパラメータに従って両電極間のゲルに電流を通し、損傷を受けた組織を修復することを特徴とする損傷を受けた組織の治療用包帯。
【請求項８】
制御ユニットを支持するホルダを更に有し、該ホルダは、制御ユニットを電極およびセンサに接続する接続手段を備えていることを特徴とする請求項７記載の治療用包帯。
【請求項９】
前記接続手段は、
ホルダ内の１対の接触電極と、
包帯内に埋入された１対のワイヤとを有し、各ワイヤは、接触電極の１つを１対の電極の一方に接続することを特徴とする請求項８記載の治療用包帯。
【請求項１０】
前記電極およびセンサに接続される制御ユニットを更に有することを特徴とする請求項７記載の治療用包帯。
【請求項１１】
前記センサは、環境パラメータを表示する信号を発生できることを特徴とする請求項７〜１０のいずれか１項記載の治療用包帯。
【請求項１２】
前記環境パラメータは、酸素、ｐＨ、バクテリア感染または温度レベルのうちの１つであることを特徴とする請求項７〜１１のいずれか１項記載の治療用包帯。
【請求項１３】
前記電極はカーボン繊維から形成されていることを特徴とする請求項１〜１２のいずれか１項記載の治療用包帯。
【請求項１４】
各電極は、互いに接続された複数の補助電極から形成されていることを特徴とする請求項１〜１３のいずれか１項記載の治療用包帯。
【請求項１５】
前記表面の相互連結されたエアポケットと、
該エアポケットに連結された弁とを更に有し、
包帯が治療領域に固定されたときに、弁に供給された空気によってポケットが膨張され、治療領域に対して包帯を締付けることを特徴とする請求項１〜１４のいずれか１項記載の治療用包帯。
【請求項１６】
ハウジングと、
該ハウジング内の電子回路と、
該電子回路に接続された出力電極とを有することを特徴とする請求項１〜１５のいずれか１項記載の治療用包帯に使用する制御ユニット。
【請求項１７】
前記電子回路は、出力電極に供給される交流電流の振幅、周波数および波形を決定する少なくとも１つのプログラムを記憶しているメモリを有していることを特徴とする請求項１６記載の制御ユニット。
【請求項１８】
前記電子回路に接続されたＩ／Ｏポートを更に有し、該Ｉ／Ｏポートを介して外部装置を制御ユニットに接続して、メモリを更新しかつ制御ユニットの作動を制御できることを特徴とする請求項１６または１７記載の制御ユニット。
【請求項１９】
前記電子回路に接続される無線トランシーバを更に有し、Ｉ／Ｏポートを介して外部装置を制御ユニットに無線態様で接続して、メモリを更新しかつ制御ユニットの作動を制御できることを特徴とする請求項１６〜１８のいずれか１項記載の制御ユニット。
【請求項２０】
１対の付勢電極と、
該両付勢電極を接続する金属ストリップを備えた着脱可能なタブとを有し、
電子回路は、両付勢電極間に電流が流れる時点を検出し、タブが除去されて両付勢電極間に電流が全く流れないときにのみ電流を出力電極に供給することを特徴とする請求項１６〜１９のいずれか１項記載の制御ユニット。
【請求項２１】
治療領域に適用する包帯と、
該包帯の治療側表面に取付けられた１対の電極と、
治療側表面のセクションに付着された導電性ゲルと、
前記電極に接続されかつ電流を電極を介して治療領域に通すことができる制御ユニットとを有することを特徴とする損傷を受けた組織の治療用具。
【請求項２２】
前記導電性ゲル上に敷かれるメッシュを更に有することを特徴とする請求項２１記載の治療用具。
【請求項２３】
前記ゲルは、電流が電極からゲルを通って流れるときに放出される複数の活性剤のうちの少なくとも１つの種類の活性剤を含有する導電性ヒドロポリマーであることを特徴とする請求項１７または２２記載の治療用具。
【請求項２４】
前記活性剤は酸素分子であることを特徴とする請求項２１〜２３のいずれか１項記載の治療用具。
【請求項２５】
治療領域に適用する包帯と、
該包帯の治療側表面に取付けられた１対の電極と、
前記包帯に取付けられた、治療領域の環境パラメータを検出するセンサと、
前記電極およびセンサに接続されかつ検出したパラメータに従って電流を電極を介して治療領域に通すことができる制御ユニットとを有することを特徴とする損傷を受けた組織の治療用具。
【請求項２６】
前記制御ユニットは包帯に取付けられ、センサは制御ユニットと一体であることを特徴とする請求項２５記載の治療用具。
【請求項２７】
前記センサは環境パラメータを表示する信号を発生でき、制御ユニットは、前記信号に従って電極を通して電流を供給することを特徴とする請求項２１または２６記載の治療用具。
【請求項２８】
前記環境パラメータは、酸素、ｐＨ、バクテリア感染または温度レベルのうちの１つであることを特徴とする請求項２５〜２７のいずれか１項記載の治療用具。
【請求項２９】
治療領域に適用する包帯と、
該包帯の治療側表面に取付けられた１対の電極と、
前記電極に接続されかつ交流電流を電極を介して治療領域に通すことができる制御ユニットとを有し、
該制御ユニットが、交流電流の振幅および／または周波数を一定的に変化させることを特徴とする損傷を受けた組織の治療用具。
【請求項３０】
前記交流電流は５０〜５００μＡの範囲で変化されることを特徴とする請求項２９記載の治療用具。
【請求項３１】
前記交流電流の周波数は１０〜９００Ｈｚの範囲で変化されることを特徴とする請求項２９または３０記載の治療用具。
【請求項３２】
前記振幅および／または周波数の各変化間の時間は０．１秒であることを特徴とする請求項２９〜３１のいずれか１項記載の治療用具。
【請求項３３】
前記交流電流は傾斜波形を有することを特徴とする請求項２９〜３２のいずれか１項記載の治療用具。
【請求項３４】
前記制御ユニットは支持体内にエッチングされることを特徴とする請求項２１〜３３のいずれか１項記載の治療用具。
【請求項３５】
前記制御ユニットは、
ハウジングと、
該ハウジング内の電子回路と、
該電子回路に接続された出力電極とを有していることを特徴とする請求項２１〜３４のいずれか１項記載の治療用具。
【請求項３６】
前記電子回路は、出力電極に供給される交流電流の振幅、周波数および波形を決定する少なくとも１つのプログラムを記憶しているメモリを有していることを特徴とする請求項２１〜３５のいずれか１項記載の治療用具。
【請求項３７】
前記電子回路に接続されたＩ／Ｏポートを更に有し、該Ｉ／Ｏポートを介して外部装置を制御ユニットに接続して、メモリを更新しかつ制御ユニットの作動を制御できることを特徴とする請求項２１〜３６のいずれか１項記載の治療用具。
【請求項３８】
前記電子回路に接続される無線トランシーバを更に有し、Ｉ／Ｏポートを介して外部装置を制御ユニットに無線態様で接続して、メモリを更新しかつ制御ユニットの作動を制御できることを特徴とする請求項２１〜３７のいずれか１項記載の治療用具。
【請求項３９】
１対の付勢電極と、
該両付勢電極を接続する金属ストリップを備えた着脱可能なタブとを有し、
電子回路は、両付勢電極間に電流が流れる時点を検出し、タブが除去されて両付勢電極間に電流が全く流れないときにのみ電流を出力電極に供給することを特徴とする請求項２１〜３８のいずれか１項記載の治療用具。
【請求項４０】
損傷を受けた組織の治療に使用するゲルにおいて、
導電性ヒドロポリマーと、
電流がゲルを通るとゲルから放出されるように構成された複数の治療分子とを有することを特徴とするゲル。
【請求項４１】
損傷を受けた組織の治療に使用するゲルにおいて、
導電性ヒドロコロイドと、
電流がゲルを通るとゲルから放出されるように構成された複数の治療分子とを有することを特徴とするゲル。
【請求項４２】
前記治療分子は酸素分子であることを特徴とする請求項４０または４１記載のゲル。
【請求項４３】
アスコルビン酸を更に有することを特徴とする請求項４０〜４２のいずれか１項記載のゲル。